(57)【要約】      （修正有）【課題】携帯電話を代表とする携行品をカバンやポケットに仕舞うことなく、むき出しで持ち歩くことを可能にする。【解決手段】概ね厚さ1cm以下であり、端部は断面方向に先細りの形状とした平面型を成す板状部品Ａと、板状部品Ａの端部より1cm以上離した平面部に接続した紐Ｂと、該紐の他端部に携行品を連結する為に設けた取り付け部品Ｃとで構成したものであり、取り付け部品Ｃに携帯電話等の携行品を取り付けることで使用する。板状部品Ａを衣服と衣服ベルトとの間、上部から下方向へと抜き通し使用することで、板状部品Ａは衣服ベルト淵部に、板状部品Ａの紐取り付け部から板状部品Ａ端部までが１cm以上あるため引っ掛かることとなり、板状部品Ａと、紐Ｂを介して連結された携行品は落下することなく、むき出しで携行する事が可能となる。【選択図】図１
2012157609.tif 000002
【特許請求の範囲】
【請求項１】
携帯電話等の携行品に取り付けて使用するストラップであって、平面型を成す板状部品Ａと、板状部品Ａの平面部に接続した紐Ｂから成り、紐Ｂに携行品を連結する為の取り付け部品Ｃを有したストラップ。
【請求項２】
前記平面型を成す板状部品Ａは、概ね厚さ1cm以下であり、端部は断面方向に先細りの形状であることを特徴とする請求項１に記載のストラップ。
【請求項３】
前記板状部品Ａの端部より1cm以上離した平面部に紐Ｂを接続したことを特徴とする請求項１又は請求項２に記載のストラップ。
【発明の詳細な説明】
【技術分野】
【０００１】
この発明は携帯電話等の携行品に取り付けられるストラップに関する。
【背景技術】
【０００２】
ストラップとは本来紐の事を指すが、携帯電話の普及とともに、携帯電話を環状の紐で吊り下げる事が広まり、それによりストラップとは携帯電話や小型カメラ、携帯ゲーム機等の携行品に取り付けられる環状の吊り下げ紐の事を示す事が一般的となった
以下ストラップとは携帯電話用ストラップ等、小型携行品用吊り下げ具を指す。
【０００３】
また、以下携行品とは、携帯電話、小型カメラ、携帯ゲーム機、携帯音楽プレイヤーなどの小型電子機器や、財布、袋、ペットボトルなどの小物類を指す。
【０００４】
ストラップは環状部分に手を通し、携帯電話等使用時の不意の落下防止を主な役割として使用されている。
【０００５】
携帯電話等の携行品は鞄やポケットに入れて持ち歩く事が一般的であり、むき出しで所持する手段としてはネックストラップと呼ばれる環状紐部材を長く設け、首から下げて使用するものがある。  
【０００６】
また、紐部材が無く、または紐部材と同在して装飾品を取り付け、持ち主の個性や拘りを表現する目的とした物が、同じくストラップという名目で存在する
【０００７】
また、江戸時代より根付という物が存在する。根付の基本型は直径３〜４cmで球状に近く、意匠を凝らした彫刻を有する、木や象牙から削りだされた部品で、該根付部品に取り付けた紐を袋や印籠などに連結し、根付を着物と帯の間に挟み込み、根付を帯の上部に出すことにより、着物と帯との間に該根付が引っ掛かり、根付が抜け落ちないことを利用して、根付と紐とで連結された携行品を所持するようにして使用されたものがある。
【０００８】
根付は着物の文化が洋服へと移行するとともに実用品としての意義が減少し、美術工芸品的鑑賞品として収集・収蔵されるもの、または装飾的置物として現代に至る、また根付従来の用途として一部継承されている。
現代、根付と称して流通するものの中には紐部分の材質及び紐部分の特徴について古来の意匠をひきつぐものが多い。
【先行技術文献】
【特許文献】
【０００９】
【特許文献１】特開２００２−１３６３２９公報
【特許文献２】実用新案登録第３１１１０１５号公報
【発明の概要】
【発明が解決しようとする課題】
【００１０】
携行品はポケットや鞄に入れて持ち歩く事が主流であるが、常時手元に必要とされるようになってきた携行品、特に携帯電話を必要に応じてポケットや鞄から取り出すことは手間がかかる。だからといって常時手に持って移動することには面倒を感じる。
【００１１】
主に携帯電話において、ますますパーソナルツールとしての重要な役割を担っており、携帯電話自体を飾り、持ち主の個性や拘りを表現する装飾性の高いものとなっている。
【００１２】
また、メール機能やゲーム、通信機能等、電話以外の目的で使用される事が多く、耳元以外の用途として手元で操作し続ける事が多くなっているため、鞄やポケットに入れずに持ち歩く方法があれば便利である。
【００１３】
以上の事を鑑みて本発明は、携行品を鞄やポケットに仕舞うことなく、むき出しで見栄え良く携行出来るストラップを発明することを目的とする。
【課題を解決するための手段】
【００１４】
そこでこれらの問題を解決する為、以下を発明した。
【００１５】
携帯電話等の携行品に取り付けて使用するストラップであって、平面型を成す板状部品Ａと、板状部品Ａの平面部に接続した紐Ｂから成り、該紐に携行品を連結する為の取り付け部品Ｃを有したストラップ。
【００１６】
前記平面型を成す板状部品Ａは、概ね厚さ1cm以下であり、端部は断面方向に先細りの形状であることを特徴とした上記に記載のストラップ。
【００１７】
前記板状部品Aの端部より1cm以上離した平面部に紐Ｂを接続したことを特徴とした上記に記載のストラップ。
【発明の効果】
【００１８】
本発明によれば、板状部品Aを、着用する衣服と衣服ベルトの間、上部より下方に抜き通すことで、板状部品Aの紐取り付け部から板状部品Aの端部までの平面部分が衣服ベルトの下淵に引っ掛かり、板状部品Aより紐Ｂを介して連結された携行品を、鞄やポケットに仕舞うことなくむき出しで携行することが可能となる。
【００１９】
板状部分の端部が断面方向に先細りであることで、着用衣服と衣服ベルトとの間を抜き通し易く、また即座に取り外すことが可能となる。
【００２０】
紐Ｂが環状である場合、鞄の持ち手やショルダーベルトに取り付けて携帯することも可能である。つまり、たとえば鞄の持ち手部分に紐Bを一周巻きつけ、巻き戻った板状部品Aを、環状である故２本となる紐Bの２本の紐のすき間を抜き通すことにより、該２本となる紐Ｂに、板状部品Aの紐取り付け部から板状部品Aの端部までが１cm以上離れているので平面部分が引っ掛かり、板状部品Aより紐Ｂを介して連結された携行品を、鞄やポケットに仕舞うことなくむき出しで携行することが可能となる。
【００２１】
板状部品Ａの材質や形状に意匠を盛り込み、持ち主の個性や拘りを表す事が可能である。
【００２２】
根付という江戸時代に栄えた、優れた日本文化を表す製品を、主に携帯電話のストラップに利用し、現代衣服に装備し易い状態で提供することで、現代の若者に日本古来の優れた文化として再認識する機会を与えることが可能である
【００２３】
伝統工芸品として収集される等、本来の意義を忘れかけられている根付を、日本人の知恵のある、使用用途のある製品として、広く認識してもらう機会を与えることが可能である。
【図面の簡単な説明】
【００２４】
【図１】本発明の１つの実施の形態によるストラップの正面図である。
【図２】本発明の１つの実施の形態によるストラップ使用時の俯瞰図である。
【図３】本発明の１つの実施の形態によるストラップの板状部品Ａのｘ−ｘ´の断面図である。
【発明を実施するための形態】
【００２５】
以下、図面等を用いて、本発明のひとつの実施例について詳細に説明する。
【００２６】
板状部品Ａは厚さを概ね1cm以下とし、端部は断面方向に先細りの形とする。この形状は着用衣服と衣服ベルトの間を通り易いという意義があるため、急な突起は有さない。
【００２７】
板状部品Ａはプラスチック抽出成形、木材削り出し、石の加工、皮による加工等、材質は限定されない。
【００２８】
板状部品Ａは平面形状として、丸型、サーフボード型、ハート型、キャラクターを表す形等、形状は限定されない。またレリーフ彫刻・透かし彫り等で意匠を表現し装飾性を高める事が可能である。
【００２９】
板状部品Ａは平面方向の大きさは限定されない。
【００３０】
紐Ｂの取り付け位置は板状部品Ａの端部より1cm以上離れた平面部とする。
【００３１】
紐Ｂの板状部品Ａへの１つの取り付け方法として、板状部品Ａに設けられた貫通した2つの穴に、該紐Ｂを一面から背面へと抜き通し、更に背面より元の面へもう一つの穴より抜き戻し取り付ける方法がある。
【００３２】
紐Ｂの板状部品Ａへの他の取り付け方法として、板状部品Ａに設けられた貫通しない穴に差し込み接着する方法もある。
【００３３】
他に、紐Ｂの板状部品Ａへの取り付け方法として、板状部品Ａに紐Ｂをねじ止めする方法。板状部品Aに半ドーナッツ型のトンネル状に設けられた穴に紐Ｂを抜き通して接続する方法など、接続方法は限定されないが、必ず板状部品Aの片面に紐Bは取り付けられる物とする。
【００３４】
紐Ｂは、ストラップの基本形である環状形を成す１本の紐、もしくは板状部品Ａから取り付け部品Ｃを結ぶ１本の紐である。
【００３５】
紐Ｂは板状部品Ａと携行品とを連結するものであり、長さは着用する衣服ベルトの巾以上あることが望ましく、概ね長さ５cm以上とする。紐Ｂ自体の幅は限定されない。
【００３６】
紐Ｂを構成する材質は、布、ビニール、金属製など限定されない。
【００３７】
取り付け部品Ｃは本発明品と、携帯電話等の携行品とを連結するための部品である。
【００３８】
取り付け部品Ｃによる取り付け方法は、紐Ｂとは別の細く強い環状をなす紐である等、様々な方法が現行で流通されており、必要に応じて選択、実施する。
【符号の説明】
【００３９】
Ａ・本発明に係る板状部品
Ｂ・本発明に係る環状の紐
Ｃ・本発明に係る取り付け部品
Ｄ・携行品（図１では携帯電話）
Ｅ・着用する衣服ベルト
【図１】
2012157609.tif 000003
【図２】
2012157609.tif 000004
【図３】
2012157609.tif 000005